(57)【要約】【課題】左手若しくは右手といった半身が不自由な方自身が、他人の介助を要することなく自己の片手のみで装着することができるエプロンの構造を提供することを課題とする。【解決手段】  身障者の使用に適したエプロンであって、首の外形よりもやや大きな内径を有する環状の首掛体と、当該首掛体に取り付けられるエプロン本体とから構成され、前記首掛体は、首が通過できる程度の開口を側方に形成した略Ｃ型の内部形状を成したフレームを有するとともに、当該フレームの下方に前記エプロン本体との係合部を設けたものであり、前記エプロン本体は、少なくとも人体の首下から胸部前面を覆う形状および面積を有したシート状の部材であって、上端に前記首掛体に設けた係合部と係合可能な係合手段が設けられていることを特徴とする。【選択図】図１
2012087435.tif 000002
【特許請求の範囲】
【請求項１】
首の外形よりもやや大きな内径を有する環状の首掛体と、当該首掛体に取り付けられるエプロン本体とから構成され、
前記首掛体は、首が通過できる程度の開口を側方に形成した略Ｃ型の内部形状を成したフレームを有するとともに、当該フレームの下方に前記エプロン本体との係合部を設けたものであり、
前記エプロン本体は、少なくとも人体の首下から胸部前面を覆う形状および面積を有したシート状の部材であって、上端に前記首掛体に設けた係合部と係合可能な係合手段が設けられていることを特徴とするエプロン。
【請求項２】
前記エプロン本体は、前記首掛体に対して着脱可能に設けられていることを特徴とする請求項１記載のエプロン。
【請求項３】
前記エプロン本体は、表裏に関わらず前記首掛体に対して着脱可能に設けられていることを特徴とする請求項１記載のエプロン。
【発明の詳細な説明】
【技術分野】
【０００１】
本発明はエプロンに関するものであり、特に身障者にも使いやすいエプロンの構造に関するものである。
【背景技術】
【０００２】
従来より、高齢者あるいは乳幼児の介護若しくは養護に適したエプロンとして特許文献１記載のエプロンが知られている。当該エプロンは、首廻り装着部に弾性復元力を有する切り離した円形状の合成樹脂製ワイヤーを取り付け、首廻り装着部を使用者の首廻りに着脱自在としたことを特徴とするものである。すなわち、首廻り装着部を両手で広げつつエプロンを首に装着するものである。
また、首部に対する着脱を容易にしたエプロンとして特許文献２記載のエプロンが知られている。当該エプロンは、頸部当接位置に頸部に沿った袋部を形成し、この袋部に人力によって塑性変形又は弾性変形する、首部外周をほぼ囲僥する長さの線体又は板体を配設したことを特徴とするものである。
【先行技術文献】
【特許文献】
【０００３】
【特許文献１】実用新案登録第３０３５５２号公報
【特許文献２】特開平１０−２５１９０８号公報
【発明の概要】
【発明が解決しようとする課題】
【０００４】
上記２つのエプロンは、身体への装着を簡便なものにすることを目的としたものであるが、何れも弾性体で形成された環状の装着具を両手を使用して開くか、介護者の操作によらなければ使用者に対して装着できないものであった。
本発明は、上記課題に鑑み発明されたものであって、左手若しくは右手といった半身が不自由な方自身が、他人の介助を要することなく自己の片手のみで装着することができるエプロンの構造を提供することを課題とするものである。
【課題を解決するための手段】
【０００５】
上記課題を解決するために、本願発明に係る第1の手段は以下の構成を有する。すなわち、
首の外形よりもやや大きな内径を有する環状の首掛体と、当該首掛体に取り付けられるエプロン本体とから構成され、
前記首掛体は、首が通過できる程度の開口を側方に形成した略Ｃ型の内部形状を成したフレームを有するとともに、当該フレームの下方に前記エプロン本体との係合部を設けたものであり、
前記エプロン本体は、少なくとも人体の首下から胸部前面を覆う形状および面積を有したシート状の部材であって、上端に前記首掛体に設けた係合部と係合可能な係合手段が設けられていることを特徴とするエプロン。
【０００６】
また、上記エプロンであって、前記エプロン本体は前記首掛体に対して着脱可能に設けられていることを特徴とする。
【０００７】
また、上記エプロンであって、前記前記エプロン本体は、表裏に関わらず前記首掛体に対して着脱可能に設けられていることを特徴とする。
【発明の効果】
【０００８】
本発明に係るエプロンは、首に掛けて使用するものであるが、この首に掛ける手段の形状をＣ型に形成したものである。したがって、両手を使わなければならない従来型の各種エプロンとは異なり、フックのように片手によって首にかけるだけで装着できるという効果を有しているものである。また、開口部が拡幅できるように、Ｃ型に形成した首掛体に弾性を付与することにより、首に対する装着時に撓むことで装着が行いやすく、装着後も首に対する接触が柔らかく付け心地がよいものとなっている。
また、首掛体はＣ型に形成されているので、右方向あるいは左方向の何れからでも首に装着できるようになっている。これによって、右手が不自由な方は左手を使って左方向から装着することができ、左手が不自由な方は右手を使って右方向から装着することができるようになっているので、両手を使用する必要がないものである。
また、首掛体に取り付けるエプロン本体を着脱可能に形成することによって、エプロン本体を取り外して洗濯したり、他のエプロン本体と交換することが可能となっている。さらに、エプロン本体に表裏の区別がある場合には、エプロン本体の表面が表出するように、向きを考慮して首掛体に装着することが出来るようになっている。
【図面の簡単な説明】
【０００９】
【図１】本発明に係るエプロンの説明図である。
【発明を実施するための形態】
【００１０】
以下、本発明の一実施の形態について説明する。図１は、本発明に係るエプロンの外観図であり、１は一実施の形態としてのエプロンを表している。
エプロン１は、首掛体２とエプロン本体３を主な構成として有している。首掛体２は、使用者の首にかける部材であり、エプロン本体３は使用者の胸部を覆うシート状の部材である。
本実施の形態に係る首掛体２は、合成樹脂により一体成形されたＣ型状のフレームとして形成されている。首掛体２は、内周に円形状の断面を有する環状の芯部４を設けるとともに、当該芯部４の外周に芯部４よりも肉厚を薄く形成した板状の縁部５を設けた構造となっている。環状の内縁として設けられている芯部４は、直接使用者の首に接触させる部位であるので、接触した部位に荷重が集中して食い込むことがないように５〜１０ｍｍ程度の直径を有するように形成されている。
なお、芯部４の内部に補強用の芯部材としてバネ鋼材を内蔵し、エプロン本体３を吊り下げることができる程度の強度を有しつつ弾力性を有するように首掛体２を形成してもよい。また、芯部４を発泡ウレタン等の柔軟性のある素材によって覆い、首との接触部位に緩衝効果を持たせるようにしても差し支えない。首掛体２が弾力性を有すると、エプロン本体が引っ張られた時などの場合に、着用者の首に対する負担が軽減されるのでより好ましい構造となっている。
【００１１】
図示した首掛体２は内縁の直径を約２０ｃｍに形成したものを表している。この内径寸法は、使用者が子供の場合には子供用に適した小さいサイズに形成し、大人や首の太い使用者に用いる場合には当該使用者に適した大きいサイズに形成される。
開口Ｂの幅は芯部４で形成される内径部の直径よりも小さく、かつ使用者の首が当該開口Ｂを丁度通過することができる程度のサイズに形成されている。
芯部４の外周に設けた板状の縁部５は、首掛体２に設けた開口Ｂが弾力を伴って多少開くことができ、かつ芯部４が円環形状を維持できるように補強する部位となっている。
【００１２】
首掛体２はＣ型状に形成されているので、上記開口Ｂを中心として上下それぞれに湾曲部（７、８）を有し、開口Ｂと対向する部位はこれらの上湾曲部７と下湾曲部８を連結する連結部９として作用するようになっている。
上湾曲部７および下湾曲部８は、ともに中心部から見た角度範囲θが大凡９０度の範囲の部分であり、上湾曲部７の内側が首の後部に当接する部分となっている。また、上湾曲部７と対向する下湾曲部８は、エプロン本体３を取り付けるための係合部が設けられる部位であり、本実施の形態では係合部として、縁部５上に等間隔で穿設した円弧状の長孔１０が設けられている。
【００１３】
エプロン本体３は、ビニールシート、布製シート等の各種のシート素材によって形成されたものであり、首の下部分から胸部および腹部の前面を覆うことができる外形形状に形成されたものである。なお、エプロン本体３の形や大きさは、着用者の身体的サイズや用途によって様々であるが、少なくとも人体の首下から胸部を覆うようになっている。
エプロン本体３の上部には、下湾曲部８に形成した前述の係合部（長孔１０）と係合可能な係合手段（テープ状の布片１１）が設けられている。係合手段であるテープ状の布片１１は、先端に雄型の面ファスナーが取り付けられており、末端部には当該雄型の面ファスナーと接合可能な雌型の面ファスナーが取り付けられている。そして、布片１１の先端を長孔１０に挿通させた状態で末端部に結合させることによってループを形成し、長孔１０に対して前記テープ状の布片１１を取り付けるようになっている。
【００１４】
なお、首掛体２の係合部とエプロン本体３の係合手段との係合方法は上記の例に限らないものであり、面ファスナーの代わりにボタンを用いたり、ワニ口クリップのような挟持手段を首掛体２若しくはエプロン本体３に用いることで両者を結合させてもよい。
上記係合部と係合手段の構造で好ましいのは、両者が着脱可能なことである。エプロン本体３は、使用すると汚れるものであるので、首掛体２から取り外して洗濯できるようにするためである。また、係合部と係合手段を中央に対して左右対称に設けることで、エプロン本体３を表裏反転させたり首掛体２の向きを左右反転させても、係合位置を一致させることができ両者を結合することができるようになっている。
【００１５】
上記エプロン１の人体に対する装着方法は、首掛体２の開口Ｂを介して首を環状内に入れ、首掛体２の上湾曲部７の内縁を首に掛けるだけである。また、上湾曲部７と下湾曲部８を連結する連結部９を片手で把持すると開口Ｂが首に面するようになっているので、横方向に動かすだけで首に対する装着が容易に行えるようになっている。
このように本発明に係るエプロンは、首に対する装着部がＣ型を成しており、両手を使用することなく片手で首に装着することができるものである。そのため、身体的な障害によって片手が不自由な方であっても、一方の手を用いて容易に装着ができるものとなっている。
【００１６】
また、本発明に用いるエプロンの首掛体２は表裏対称形状になっており、表裏反転させることによって首の右側から装着することもできるし、左側から装着することができるものである。したがって、使用者は、自己の取り扱いやすい面が表面になるように首掛体２の装着する向きを選択できるという利便性がある。
さらに、エプロン本体は、首掛体２に対して着脱可能であるので、前記首掛体２の向きが変わってもエプロン本体の表面を表出させるように取り付けることができる。また、エプロン本体は着脱可能であるから、取り外して洗濯を行うことができるようになっている。
【００１７】
以上説明したエプロンは、両手での操作を必要とすることなく片手のみで首に装着することができるように、首掛体の首掛け部（上湾曲部）とエプロン本体取り付け部（下湾曲部）および首を通過させる開口を側方に有したことを主要な技術的思想とするものである。
また、上述した首掛体の外観的な形状は概ねＣ型を成すものであるが、少なくとも首に接する内面部がＣ型若しくは実質的にＣ型であるのと同様の作用効果を有する形状であればよいものである。
【産業上の利用可能性】
【００１８】
本発明は、身障者用のエプロンに利用可能である。
【符号の説明】
【００１９】
１  エプロン
２  首掛体
３  エプロン本体
４  芯部
５  縁部
７  上湾曲部
８  下湾曲部
９  連結部
１０  長孔（係合部）
１１  布片（係合手段）
Ｂ  開口
【図１】
2012087435.tif 000003